(57)【要約】【課題】ルーバー部を持つ位置による取り外し容易性に優劣が生じることを少なくして容易に取り外しができるルーバー取付装置およびこれを備えた換気装置を提供することを目的とする。【解決手段】壁面から露出して配設されるルーバー４と、壁面の裏側にその全部または一部が設けられ、ルーバー４との間に形成される開口１８と連通する通風路９を有するフレーム３と、ルーバー４に設けられる爪７を備えた複数のボス状部６と、爪７と係合する係合孔１１を備えフレーム３に設けられるボス受け部１２とを備え、爪７はルーバー４を壁面に向かって正面視したときに内側に突出して形成されている構成とする。【選択図】図１
2006010157.tif 000002
【特許請求の範囲】
【請求項１】
壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときに内側に突出して形成されていることを特徴とするルーバー取付装置。
【請求項２】
壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときにルーバー部の中心側に突出して形成されていることを特徴とするルーバー取付装置。
【請求項３】
壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときに内側に突出して形成されていることを特徴とする換気装置。
【請求項４】
壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときにルーバー部の中心側に突出して形成されていることを特徴とする換気装置。
【請求項５】
すべての前記ボス状部に前記突起部を設けることを特徴とする請求項３または４に記載の換気装置。
【請求項６】
前記ボス状部が内接される前記ボス受け部の内周面側に、前記ボス受け部に前記ボス状部を案内するための案内部を形成したことを特徴とする請求項３、４、または５に記載の換気装置。
【請求項７】
前記ルーバー部を前記壁面に向かって正面視したときに、前記ボス状部およびボス受け部を前記フレーム部の通風路の周囲に配し、前記通風路に近い側に存在する前記ボス状部または前記ボス受け部の外形形状に曲面を形成したことを特徴とする請求項３から６のいずれかに記載の換気装置。
【請求項８】
前記ボス状部および前記ボス受け部を同一間隔に配設したことを特徴とする請求項３から７のいずれかに記載の換気装置。
【請求項９】
前記ボス状部にスリット状の切り欠き部を設けたことを特徴とする請求項３から８のいずれかに記載の換気装置。
【発明の詳細な説明】
【技術分野】
【０００１】
本発明は、天井壁面または壁面から露出して配置されるルーバー部と、このルーバー部が室内と室外とを連通する通風路の一部を構成するフレーム部に取り付けられるルーバー取付装置およびこれを備えた換気装置に関する。
【背景技術】
【０００２】
従来、この種のルーバー取付装置およびこれを備えた換気装置は、ルーバー部に設けられた爪をフレーム部に設けられた係合孔に係合させてルーバー部をフレーム部に取り付ける構造のものが知られている（例えば、特許文献１参照）。
【０００３】
以下、そのルーバー取付装置について図１０および図１１を参照しながら説明する。
【０００４】
図に示すように、ルーバー１０２の裏面でルーバーの外縁部１０３に近接する位置に、ルーバー１０２の外側へ向けた爪１０４が設けられており、ルーバー１０２を取り付けるフレーム部１０５には、ルーバー１０２に設けた爪１０４と相対する位置に係合孔１０６が設けられ、ルーバー１０２の爪１０４を係合孔１０６に合わせながら、押し込むことでルーバー１０２をフレーム部１０５に取り付けている。さらに、ルーバー１０２をフレーム部１０５に取り付けたあとフレーム部１０５の裏面よりネジ１０７によりルーバー１０２を固定している。また、ルーバー１０２をフレーム部１０５から外すときには、ネジ１０７を外してルーバー１０２の固定を解除したあと、爪１０４が設けられたルーバー１０２の外縁部１０３をルーバー１０２の内側に向けて押して爪１０４をたわませてフレーム部１０５に設けた係合孔１０６から爪１０４を外すようにしている。
【特許文献１】特開平５−９３５３０号公報
【発明の開示】
【発明が解決しようとする課題】
【０００５】
このような従来のルーバー取付装置では、ルーバーの外縁部に近接する位置に設けられたルーバーの外側を向いている爪をフレーム部の係合孔から外すときに爪が設けられたルーバーの外縁部をルーバーの内側に向けて押して爪をたわませなければ、フレーム部の係合孔から爪が外れないため、取り外し時にルーバーを持つ方向が限定されてしまうという課題があった。
【０００６】
また、ルーバー部の外縁部に近接する位置に設けられた爪を外すために、その外縁部をルーバー部の内側に強い力でたわませなければ爪が外れないので、ルーバー部を取り外すのに大きな力を要するという課題があった。
【０００７】
本発明は、このような従来の課題を解決するものであり、ルーバー部を持つ位置による取り外し容易性に優劣が生じることを少なくして容易に取り外しができるルーバー取付装置およびこれを備えた換気装置を提供することを目的としている。
【課題を解決するための手段】
【０００８】
本発明のルーバー取付装置は、壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときに内側に突出して形成されていることを特徴とする。
【０００９】
また、本発明のルーバー取付装置は、壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときにルーバー部の中心側に突出して形成されていることを特徴とする。
【００１０】
また、本発明の換気装置は、壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときに内側に突出して形成されていることを特徴とする。
【００１１】
また、本発明の換気装置は、壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときにルーバー部の中心側に突出して形成されていることを特徴とする。
【００１２】
また、本発明の換気装置は、すべての前記ボス状部に前記突起部を設けることを特徴とする。
【００１３】
また、本発明の換気装置は、前記ボス状部が内接される前記ボス受け部の内周面側に、前記ボス受け部に前記ボス状部を案内するための案内部を形成したことを特徴とする。
【００１４】
また、本発明の換気装置は、前記ルーバー部を前記壁面に向かって正面視したときに、前記ボス状部およびボス受け部を前記フレーム部の通風路の周囲に配し、前記通風路に近い側に存在する前記ボス状部または前記ボス受け部の外形形状に曲面を形成したことを特徴とする。
【００１５】
また、本発明の換気装置は、前記ボス状部にスリット状の切り欠き部を設けたことを特徴とする。
【発明の効果】
【００１６】
本発明によれば、ルーバー部の取り外しの方向を限定せず、ルーバー部がフレーム部から取り外し容易なルーバー取付装置およびこれを備えた換気装置を提供できる。
【００１７】
また、ルーバー部を取り外す際の力が少なくできるルーバー取付装置およびこれを備えた換気装置を提供できる。
【００１８】
また、施工後に容易にルーバー部の向きが変更できるルーバー取付装置およびこれを備えた換気装置を提供できる。
【発明を実施するための最良の形態】
【００１９】
本発明の請求項１記載のルーバー取付装置は、壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときに内側に突出して形成されていることを特徴とするものであり、ルーバー部をフレーム部から取り外すとき、ルーバー部のどこを持っても突起部が係合部から外れる方向に突起部の位置がずれることにより、ルーバー部がフレーム部から取り外せる方向を限定しないという効果がある。
【００２０】
また、請求項２記載のルーバー取付装置は、壁面から露出して配設されるルーバー部と、前記壁面の裏側にその全部または一部が設けられ、前記ルーバー部との間に形成される開口と連通する通風路を有するフレーム部とを連結するためのルーバー取付手段を備えたルーバー取付装置であって、前記ルーバー取付手段はルーバー部またはフレーム部の一方側に設けられる突起部を備えた複数のボス状部と、他方側に前記ボス状部の前記突起部と係合する係合部を備えたボス受け部とを含み、前記突起部は前記ルーバー部を前記壁面に向かって正面視したときにルーバー部の中心側に突出して形成されていることを特徴とするものであり、ルーバー部を取り外すときのモーメント力が小さくなるので、ルーバー部を着脱する時に少ない力で容易に着脱することができる。
【００２１】
また、請求項３記載の換気装置は、壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときに内側に突出して形成されていることを特徴とするものであり、ルーバー部をフレーム部から取り外すとき、ルーバー部のどこを持っても突起部が係合部から外れる方向に突起部の位置がずれることにより、ルーバー部がフレーム部から取り外せる方向を限定しないという効果がある。
【００２２】
また、請求項４記載の換気装置は、壁面から露出して配設されるルーバー部と、前記壁面の裏側にその全部または一部が設けられ、前記ルーバー部との間に形成される開口と連通する通風路を有するフレーム部と、前記ルーバー部と前記フレーム部を連結するルーバー取付手段とを備え、前記ルーバー取付手段は前記ルーバー部または前記フレーム部の一方側に設けられる突起部を備えた複数のボス状部と、他方側に前記突起部と係合する係合部を備えたボス受け部とを含み、前記突起部は前記ルーバー部を前記壁面に向かって正面視したときにルーバー部の中心側に突出して形成されていることを特徴とするものであり、ルーバー部を取り外すときのモーメント力が小さくなるので、ルーバー部を着脱する時に少ない力で容易に着脱することができる。
【００２３】
また、請求項５記載の発明は、請求項３または４に記載の換気装置において、すべての前記ボス状部に前記突起部を設けることを特徴とするものであり、ルーバー部の保持力が大きくなることにより、ルーバー部をフレーム部に強固に固定することができる。
【００２４】
また、請求項６記載の発明は、請求項３、４、または５に記載の換気装置において、前記ボス状部が内接される前記ボス受け部の内周面側に、前記ボス受け部に前記ボス状部を案内するための案内部を形成したことを特徴とするものであり、突起部を設けたボス状部と係合部を設けたボス受け部の位置が多少ずれた状態で取付作業を行った場合でもスムーズにルーバー部をフレーム部に取り付けることができる。
【００２５】
また、請求項７記載の発明は、請求項３から６のいずれかに記載の換気装置において、前記ルーバー部を前記壁面に向かって正面視したときに、前記ボス状部およびボス受け部を前記フレーム部の通風路の周囲に配し、前記通風路に近い側に存在する前記ボス状部または前記ボス受け部の外形形状に曲面を形成したことを特徴とするものであり、通風路を通過する空気の流れの抵抗を軽減したルーバー取付手段が得られる。
【００２６】
また、請求項８記載の発明は、請求項３から７のいずれかに記載の換気装置において、前記ボス状部および前記ボス受け部を同一間隔に配設したことを特徴とするものであり、ルーバー部の向きをどのように変えてもボス状部とボス受け部の位置関係が変わらないので、フレーム部を壁面などに取り付けた後でも、ルーバー部の向きを変更することができる。
【００２７】
また、請求項９記載の発明は、請求項３から８のいずれかに記載の換気装置において、前記ボス状部にスリット状の切り欠き部を設けたことを特徴とするものであり、ルーバー部をフレーム部から着脱する時にボス状部がたわみやすくなるので、ルーバー部を取り外すときの方向性をさらに向上させることができる。
【００２８】
以下、本発明の実施の形態について図１から図９を参照しながら説明する。
【００２９】
（実施の形態１）
図１から図４に示すように、本発明のルーバー取付装置を備えた換気装置の一例である給排気口端末装置１は、屋外と連通するダクト（図示せず）が接続される円筒アダプター５を備えたダクト接続部２と、このダクト接続部２の下部に形成されダクト接続部２を支持し内部に通風路９を形成するフレーム３と、このフレーム３の下部に着脱自在に取り付けられるルーバー４とを備えた構成である。ルーバー４をルーバー取付手段によりフレーム３に取り付けた状態においては、ルーバー４の裏面と、フレーム３の下部に外方に突出して形成されるフランジ部１３との間に所定間隔の空間を形成した開口１８が構成され、この開口１８は通風路９と連通している。
【００３０】
ダクト接続部２の上部は、アルミや樹脂材料などで造られた円筒のフレキシブルダクト（図示せず）を差込み接続できるように、円筒形状となっており、また、ダクトの差込み代を示し差し込み過ぎを防止するとともに、テーピングし易くするために、ダクトを差し込んだ状態でできるだけ段差が生じないように、円筒の長さ方向の中間に段差を設け、ダクトの差込み側を小径とした円筒アダプター５が形成されている。
【００３１】
ルーバー４の裏面には、各々が独立した円筒形状のボス状部６を４個有し、それぞれのボスの側面上部にルーバー４を下面から見てルーバー４の内側に向かうように突出し断面が三角形状を有する爪７と爪７に平行で円筒形状のボス状部６の中心を通るように設けたスリット８を備えている。
【００３２】
また、爪７はルーバー４を下面から見てルーバー４の中心側に向かうように突出した場合には、ルーバー４をフレーム３から取り外す場合の取外しに要する力のモーメント力が小さくなり、ルーバー４を着脱するときに少ない力で容易に着脱することができるので、より好ましい。
【００３３】
フレーム３は円筒アダプター５に接続されるフレキシブルダクトと連通する通風路９を有し、下部に通風路９の周囲に外方に向けて突出するフランジ部１３が形成されている。
【００３４】
フランジ部１３には、ルーバー４に設けられたボス状部６に相対する位置にボス状部６と同数のボス受け部１２を設け、ボス受け部１２は全体として円筒形状で、その一部には他の部分よりもルーバー４側に延長した係合片１２ａが形成され、係合片１２ａのフランジ部１３側には爪７と係合する係合孔１１が設けられている。ルーバー４をフレーム３に取り付けるときにボス状部６を内側に収めるために、係合片１２ａが形成されていないボス受け部１２の他の部分をルーバー側の肉厚を薄くフレーム側の肉厚を厚くしてテーパ形状にすることにより案内部１０を形成し、ボス状部６が多少ずれた状態でボス受け部１２の内側に挿入されても案内部１０により所定の位置にボス状部６が案内される。以上のようにしてルーバー４をフレーム３に着脱自在とするルーバー取付手段を構成する。
【００３５】
上記構成において、ルーバー４をフレーム３から取り外す際にルーバー４の外縁部のいずれか一辺を手で持って手前に引くと手で持ったルーバー４の外縁部に最も近い２個のボス状部６が爪７と平行に設けられたスリット８によりルーバー４の外側に向かってたわむ。このとき、ボス受け部１２にはルーバー側の肉厚を薄くフレーム側の肉厚を厚くしてテーパ形状の案内部１０があるため、ボス受け部１２の内側に収められた円筒形状のボス状部６の外側上方部分はボス受け部１２の内面に激しく衝突せずに爪７を支点とするように弧を描くように外側に移動しながら下方に移動する。この動作により、ルーバー４は爪７を支点とするように下方にたわんでボス状部６の側面上部にルーバー４の内側に向けて設けられた爪７が係合孔１１から外れやすくなる。また、ルーバー４の裏面に設けられた円筒形状のボス状部６とフレーム３のフランジ部１３に設けられたボス受け部１２は各々が連結することなく独立して設けられており、ボス状部６の全てに爪７がある場合には、ボス受け部１２の係合片１２ａに設けられた係合孔１１に係合されるため、強固に固定されるとともに、４個のうちどれかのボス状部６とボス受け部１２の係合に不具合が生じてもルーバー４はフレーム３から脱落しにくい構成である。
【００３６】
以上のように、ルーバー４をフレーム３から取り外すとき、ルーバー４のどこを持っても爪７が係合孔１１から外れる方向に爪７の位置がずれるという作用により、ルーバー４がフレーム３から取り外せる方向を限定しないという効果を奏する。
【００３７】
また、ルーバー４をフレーム３に取り付ける際には、フレーム３のフランジ部１３に設けられたボス受け部１２は案内部１０を有しているため、ルーバー４の裏面に設けられた円筒形状のボス状部６の爪７がずれることなく、爪７とボス受け部１２の係合孔１１とが係合しやすくなる。
【００３８】
また、円筒形状のボス状部６の全てに爪７を設けた場合には、円筒形状のボス状部６と同数のボス受け部１２の係合片１２ａに設けた係合孔１１と係合されるため、ルーバー４を強固に固定できるとともに、各々のボス状部６と各々のボス受け部１２が連結することなく独立して形成されているため、ボス状部６とボス受け部１２の係合関係に不具合が生じてもルーバー４は脱落しにくくなる。
【００３９】
また、各々のボス状部６同士が連結することなく独立しているため、ルーバー４の裏面と、フレーム３の下部に外方に突出して形成されるフランジ部１３との間に設けられた所定間隔の空間によって形成される開口１８の容積に対してボス状部６の占める割合が小さく構成できるので、通風開口をふさぐ影響が小さく風路抵抗を低減することができる。
【００４０】
なお、本発明の換気装置は、内部に送風機などの強制的送風手段を有したものに適用してもその作用効果に差異はない。
【００４１】
また、本発明でいう突起部を構成する爪７は、その断面形状を三角形状のものとしているが、ルーバー４を下面から見てルーバー４の内側、または、好ましくは中心側に向かうように突出する形状であり、ルーバー４のどこを持ってもルーバー４をフレーム３から取り外すときに、爪７が係合孔１１から外れる方向に爪７の位置がずれるという作用を有していれば、三角形状に限定するものではない。
【００４２】
（実施の形態２）
実施の形態２について図５を参照しながら説明する。
【００４３】
なお、実施の形態１と同様の構成要素は同一符号で示し、その詳細な説明は省略する。
【００４４】
図５に示すように、フレーム３またはルーバー４を壁面に向かって正面視したときに、ボス状部６およびボス受け部１２を通風路９の周囲に配し、通風路９に近い側に存在するボス状部６またはボス受け部１２の外形形状に曲面１４を形成する。
【００４５】
上記構成において、円筒アダプター５に接続されたダクトを通じて流入する空気はダクト接続部２内を通過し、フレーム３の通風路９を通りルーバー４から室内に向けて吹き出される。このとき流入してくる空気は、流路内にあるボス状部６とボス受け部１２の通風路９に近い側に形成した曲面１４に沿って流れることになり、空気抵抗の低減が図れて空気の流れを阻害することがないルーバー取付手段が構成できる。
【００４６】
なお、実施の形態２では、ボス受け部１２の通風路９に近い側に形成した曲面１４を円筒の一部形状としたが、外形全体を円筒形状としてもよくその効果作用に差異はない。
【００４７】
（実施の形態３）
実施の形態３について図６から図９を参照しながら説明する。
【００４８】
なお、実施の形態１および２と同様の構成要素は同一符号とし、その詳細な説明は省略する。
【００４９】
図６から図９に示すように、本発明の換気装置の一例である給気口端末装置１５は、屋外と連通するダクト（図示せず）が接続される円筒アダプター５を備えたダクト接続部２と、このダクト接続部２の下部に形成されダクト接続部２を支持するフレーム１６と、このフレーム１６の下部に着脱自在に取り付けられるルーバー１７とを備えた構成である。
【００５０】
ルーバー１７は、全体として四辺形の形状であり、この四辺のうちの一方の隣り合う二辺はフレーム１６とほぼ合致する形状で、この一方の隣り合う二辺と向かい合う他の隣り合う二辺はフレーム１６にルーバー１７を取り付けたときにフレーム１６の外周辺に対して内側に位置するように形成されている。そして、フレーム１６にルーバー１７を取り付けたとき状態においては、前記一方の隣り合う二辺とフレーム１６の外周辺は合致するのでこの部分においてフレーム１６とルーバー１７の間には開口は形成されないが、前記他の隣り合う二辺とフレーム１６の外周辺との間には前記他の隣り合う二辺がフレーム１６の外周辺より内側に存在するので開口１８が形成される。
【００５１】
ルーバー１７の裏面には、４個の円筒形状のボス状部６がルーバー１７の中心線１９ａ、１９ｂを基準にしてそれぞれが対称に同一間隔で設けられている。各円筒形状のボス状部６の側面上部には、ルーバー１７の内側中心に断面形状が三角形状の爪７が設けられている。
【００５２】
フレーム１６は円筒アダプター５に接続されるダクトと連通する通風路９を有し、下部に通風路９の周囲に外方に向けて突出するフランジ部１３が形成されている。
【００５３】
フランジ部１３には、ルーバー４に設けられたボス状部６に相対する位置にボス状部６と同数のボス受け部１２を設け、ボス受け部１２は全体として円筒形状で、その一部には他の部分よりもルーバー４側に延長した係合片１２ａが形成され、係合片１２ａのフランジ部１３側には爪７と係合する係合孔１１が設けられている。ルーバー４をフレーム３に取り付けるときにボス状部６を内側に収めるために、係合片１２ａが形成されていないボス受け部１２の他の部分をルーバー側の肉厚を薄くフレーム側の肉厚を厚くしてテーパ形状にすることにより案内部１０を形成し、ボス状部６が多少ずれた状態でボス受け部１２の内側に挿入されても案内部１０により所定の位置にボス状部６が案内される。
【００５４】
上記構成において、ダクトを通じて給気口端末装置１５に流入してくる空気は、ダクト内を通り、フレーム１６内に形成される通風路９を介して開口１８から室内へ吹き出される。そして、ルーバー１７の裏面に設けられた４個の円筒形状のボス状部６はルーバー１７の中心線１９ａ、１９ｂを基準にしてそれぞれが対称となるように同一間隔に設けられ、また、ボス状部６と相対する位置に同数のボス受け部１２をフランジ部１３に設けているので、フレーム１６に対してルーバー１７はどの方向でも（四方向）取り付けることが可能である。
【００５５】
したがって、開口１８はルーバー１７の四辺のうち二辺のみ形成されて室内への吹出口を構成するため、フレーム１６に対してルーバー１７を取り付ける方向を変更することで開口１８の向きを９０度間隔で変更することができる。使用者や施工者はルーバー１７の取付け位置をフレーム１６に対して適宜選択することで室内へ空気を吹き出したい方向を選択することができる。
【産業上の利用可能性】
【００５６】
本発明は、ルーバーの着脱が容易で施工性の向上ができるので、ルーバーを有するもので、天井、または壁取り付けの換気口や内部に送風機を有する換気装置にも適用することができる。
【図面の簡単な説明】
【００５７】
【図１】本発明の実施の形態１の換気装置の外観を示す分解斜視図
【図２】同換気装置におけるルーバー取付装置の側面図および部分拡大断面図
【図３】同換気装置のルーバーの裏面を示す平面図
【図４】同換気装置のフレームを示す下面図
【図５】本発明の実施の形態２の換気装置のフレームを示す底面図
【図６】本発明の実施の形態３の換気装置の外観を示す分解斜視図
【図７】同換気装置のルーバーの裏面を示す平面図
【図８】同換気装置のフレームを示す下面図
【図９】同換気装置におけるルーバー取付装置の側面図
【図１０】従来のルーバー取付装置の構成を示す斜視図
【図１１】同ルーバー取付装置の係合部分の構成を示す部分拡大図
【符号の説明】
【００５８】
１      給排気口端末装置
３      フレーム
４      ルーバー
６      ボス状部
７      爪
８      スリット
９      通風路
１０    案内部
１１    係合孔
１２    ボス受け部
１４    曲面
１５    給気口端末装置
１６    フレーム
１７    ルーバー
１８    開口
１９ａ  中心線
１９ｂ  中心線
【図１】
2006010157.tif 000003
【図２】
2006010157.tif 000004
【図３】
2006010157.tif 000005
【図４】
2006010157.tif 000006
【図５】
2006010157.tif 000007
【図６】
2006010157.tif 000008
【図７】
2006010157.tif 000009
【図８】
2006010157.tif 000010
【図９】
2006010157.tif 000011
【図１０】
2006010157.tif 000012
【図１１】
2006010157.tif 000013